(57)【特許請求の範囲】
【請求項１】
機器ケースに設けられた収納部の開口部を塞ぐための蓋部材を備える携帯機器において、
前記蓋部材は、
前記機器ケースの外形の一部を形成する外側蓋部と、
この外側蓋部の内側に固定されて前記収納部の前記開口部に挿脱可能に挿入する内側蓋部と、
前記外側蓋部の内面に、前記収納部の両側に位置する前記機器ケースの外側部にそれぞれ設けられた係止溝部に係脱可能に係合する係合フック部と、
前記内側蓋部の外周部に全周に沿って連続して形成され、前記外側蓋部の前記係合フック部に対面した状態で接近するパッキン溝と、
を備え、
前記外側蓋部の前記係合フック部は、前記内側蓋部の外周側に位置して、前記内側蓋部の前記パッキン溝に向けて突出しており、前記内側蓋部の前記パッキン溝は、前記内側蓋部の外周面から外部側方に向けて開放された状態で、前記係合フック部に対面して接近していることを特徴とする携帯機器。
【請求項２】
請求項１に記載の携帯機器において、前記内側蓋部の前記パッキン溝には、前記収納部の前記開口部における内周面に弾接する防水パッキンが、環状に連続して装着されていることを特徴とする携帯機器。
【請求項３】
請求項１または請求項２記載の携帯機器において、前記内側蓋部の一側部には、前記収納部の前記開口部における内周面に設けられた係止穴部に挿脱可能に挿入して前記内側蓋部の回転支点となる支持突起が形成されていることを特徴とする携帯機器。
【請求項４】
請求項１〜請求項３のいずれかに記載の携帯機器において、前記内側蓋部の前記支持突起が設けられた前記一側部と反対側に位置する前記外側蓋部の他側部には、前記機器ケースに設けられた固定部材によって前記機器ケースに対して固定される固定溝部が形成されていることを特徴とする携帯機器。
【発明の詳細な説明】
【技術分野】
【０００１】
この発明は、携帯情報端末機（ＰＤＡ：パーソナル・デジタル・アシスタント）、携帯電話機、電子カメラなどの携帯機器に関する。
【背景技術】
【０００２】
例えば、電子カメラに用いられている電池蓋においては、特許文献１に記載されているように、カメラケース内に設けられた電池収納部を開閉可能に塞ぐ際に、電池収納部の開口部内に蓋本体の内側部が挿入し、この挿入した蓋本体の内側部の外周部に設けられた防水パッキンが電池収納部の開口部の内周面に密接することにより、防水を図るように構成されたものが知られている。
【先行技術文献】
【特許文献】
【０００３】
【特許文献１】特開２００４−１５７２４０号公報
【０００４】
このような電子カメラの電池蓋は、防水を維持するために、カメラケースの電池収納部を塞いだ際に、蓋本体にその内外に露出した状態で回転可能に設けられたロックダイヤルを回転させて、このロックダイヤルの内面に設けられたロックレバーをカメラケースの内面に係止させることにより、蓋本体の防水パッキンが電池収納部の開口部の内周面に密接した状態を維持させるように構成されている。
【発明の概要】
【発明が解決しようとする課題】
【０００５】
しかしながら、このような電子カメラの電池蓋では、蓋本体にロックダイヤルを内外に露出させた状態で回転可能に設けているため、このロックダイヤルにも防水パッキンを設けて防水性を確保する必要がある。このため、２重の防水構造になり、構造が複雑になるばかり、組立て作業も煩雑になり、製作コストが高くなるという問題がある。
【０００６】
この発明の課題は、簡単な構造で機器ケースの防水性を確保できるようにすることである。
【課題を解決するための手段】
【０００７】
この発明は、機器ケースに設けられた収納部の開口部を塞ぐための蓋部材を備える携帯機器において、前記蓋部材は、前記機器ケースの外形の一部を形成する外側蓋部と、この外側蓋部の内側に固定されて前記収納部の前記開口部に挿脱可能に挿入する内側蓋部と、前記外側蓋部の内面に、前記収納部の両側に位置する前記機器ケースの外側部にそれぞれ設けられた係止溝部に係脱可能に係合する係合フック部と、前記内側蓋部の外周部に全周に沿って連続して形成され、前記外側蓋部の前記係合フック部に対面した状態で接近するパッキン溝と、を備え、前記外側蓋部の前記係合フック部は、前記内側蓋部の外周側に位置して、前記内側蓋部の前記パッキン溝に向けて突出しており、前記内側蓋部の前記パッキン溝は、前記内側蓋部の外周面から外部側方に向けて開放された状態で、前記係合フック部に対面して接近していることを特徴とする携帯機器である。
【発明の効果】
【０００８】
この発明によれば、機器ケースの収納部を塞ぐ際に、外側蓋部の内面に固定された内側蓋部のパッキン溝に防水パッキンを装着し、この内側蓋部を機器ケースの収納部の開口部内に挿入させて、外側蓋部を機器ケースに押し付けると、収納部の開口部の内周面に防水パッキンを密接させて外側蓋部の係合フック部を機器ケースの両側の外側部に設けられた係止溝部に係合させることができる。
【０００９】
このとき、内側蓋部のパッキン溝に接近している外側蓋部の係合フック部によって、パッキン溝に装着された防水パッキンを収納部の内周面に確実に押し付けることができる。このため、１つの防水パッキンを内側蓋部のパッキン溝に装着するだけの簡単な構造で防水性を確保することができると共に、機器ケースの係止溝部に対する外側蓋部の係合フック部の係合により、防水性を確実に維持することができる。
【００１０】
また、外側蓋部と内側蓋部とを別々に成形することができるので、外側蓋部の係合フック部と内側蓋部のパッキン溝とが対面した状態で接近していても、簡単に且つ容易に製作することができる。このため、外側蓋部と内側蓋部とを自由な形状に形成することができると共に、外観性およびデザイン性を向上させることができる。
【図面の簡単な説明】
【００１１】
【図１】この発明を携帯情報端末機に適用した一実施形態を示した正面図である。
【図２】図１に示された携帯情報端末機を裏面側から見た斜視図である。
【図３】図２に示された携帯情報端末機の電池蓋を所定角度に開いた状態を示した拡大斜視図である。
【図４】図３に示された携帯情報端末機のＡ−Ａ矢視において、携帯情報端末機を破断して示した要部の拡大斜視図である。
【図５】図２に示された携帯情報端末機の電池蓋を示した拡大斜視図である。
【図６】図５に示された携帯情報端末機の電池蓋を裏面側から見て示した拡大裏面図である。
【図７】図６に示された電池蓋のＢ−Ｂ矢視における断面を示し、（ａ）はパッキン溝に防水パッキンを装着した状態を示した拡大断面図、（ｂ）はパッキン溝から防水パッキンを取り外した状態を示した拡大断面図である。
【図８】図７に示された電池蓋の要部を更に拡大して示し、（ａ）はパッキン溝に防水パッキンを装着した状態における要部の拡大断面図、（ｂ）はパッキン溝から防水パッキンを取り外した状態における要部の拡大断面図である。
【図９】図６に示された電池蓋のＣ−Ｃ矢視における断面を示し、（ａ）はパッキン溝に防水パッキンを装着した状態を示した拡大断面図、（ｂ）はパッキン溝から防水パッキンを取り外した状態を示した拡大断面図である。
【図１０】図９に示された電池蓋の要部を更に拡大して示し、（ａ）はパッキン溝に防水パッキンを装着した状態における要部の拡大断面図、（ｂ）はパッキン溝から防水パッキンを取り外した状態における要部の拡大断面図である。
【図１１】図６に示された電池蓋の外側蓋部を示し、（ａ）はその外側蓋部の拡大裏面図、（ｂ）はその外側蓋部のＤ−Ｄ矢視における拡大断面図、（ｃ）はその外側蓋部のＥ−Ｅ矢視における拡大断面図である。
【図１２】図６に示された電池蓋の内側蓋部を示し、（ａ）はその内側蓋部の拡大裏面図、（ｂ）はその内側蓋部のＦ−Ｆ矢視における拡大断面図、（ｃ）はその内側蓋部のＧ−Ｇ矢視における拡大断面図である。
【図１３】図７（ａ）に示された電池蓋の防水パッキンを示した拡大斜視図である。
【発明を実施するための形態】
【００１２】
以下、図１〜図１３を参照して、この発明を携帯情報端末機に適用した一実施形態について説明する。
この携帯情報端末機は、図１および図２に示すように、機器ケース１を備えている。この機器ケース１は、上部ケース２と下部ケース３とかなっている。この機器ケース１内には、図１および図４に示すように、入力表示部４およびキー入力部５が上部ケース２の上面側（図４では下面側）に露出した状態で設けられている。下部ケース３の下面（図２では上面）には、図２および図３に示すように、電池蓋６および点検蓋７が配置されている。
【００１３】
この場合、入力表示部４は、図４に示すように、透明なタッチパネル４ａと表示パネル４ｂとを備えている。透明なタッチパネル４ａは、その表面をタッチ操作することにより、情報が入力されるように構成されている。表示パネル４ｂは、液晶表示パネルやＥＬ（エレクトロルミネッセンス）表示パネルなどの平面型の表示パネルからなり、情報処理に伴う各種の情報を電気光学的に表示するように構成されている。
【００１４】
この入力表示部４は、透明なタッチパネル４ａの下側（図４では上側）に表示パネル４ｂが配置され、この状態で上部ケース２内に組み込まれている。これにより、入力表示部４は、透明なタッチパネル４ａが上部ケース２の表示開口部２ａから上側（図４では下側）に露出し、表示パネル４ｂに表示された情報が透明なタッチパネル４ａを通して上方（図４では下側）から見え、この表示パネル４ｂに表示された情報を見ながら透明なタッチパネル４ａをタッチ操作するように構成されている。
【００１５】
キー入力部５は、図１に示すように、文字キー、カーソルキー、ファンクションキーなどの情報処理に必要な各種のキーを備え、図４に示すように、上部ケース２内に組み込まれて、その上面（図４では下面）が上部ケース２のキー開口部２ｂから上方（図４では下側）に露出するように構成されている。また、下部ケース３の内部には、図３および図４に示すように、電池（図示せず）を収納する電池収納部８が、キー入力部５の下側（図４では上側）に対応した状態で、下部ケース３の下側（図３および図４では上側）に開放されて設けられている。
【００１６】
ところで、電池蓋６は、図４に示すように、キー入力部５に対応する箇所の下部ケース３内に設けられた電池収納部８の開口部８ａを開閉可能に塞ぐように構成されている。この電池蓋６は、図２〜図６に示すように、下部ケース３の外形の一部を形成する外側蓋部１１と、この外側蓋部１１の内側（図３では下側）に取り付けられて、下部ケース３に設けられた電池収納部８の開口部８ａ内に挿脱可能に挿入する内側蓋部１２とを備えている。
【００１７】
外側蓋部１１は、合成樹脂からなり、図２〜図５に示すように、その外面（図５では上面）に滑り止め用の凹凸部１１ａが多数設けられていると共に、この外面における両側部が下部ケース３の外側面と連続する湾曲面１１ｂに形成された構成になっている。この外側蓋部１１は、図３に示すように、その外形が下部ケース３に設けられた電池収納部８の開口部８ａよりも少し大きく形成され、電池収納部８の開口部８ａの外周部に位置する縁部に配置されるように構成されている。
【００１８】
この場合、電池収納部８の開口部８ａの周囲に位置する下部ケース３の外面（図３では上面）には、図３および図４に示すように、外側蓋部１１の湾曲部１１ｂを含む周縁部が配置する装着凹部８ｂが設けられている。これにより、外側蓋部１１は、図２に示すように、電池収納部８の開口部８ａを覆った状態で、外側蓋部１１の周縁部が下部ケース３の装着凹部８ｂに配置された際に、外側蓋部１１の外面が下部ケース３の外面に連続し、機器ケース１を手で握った際に、手のひらに良好に密接するように構成されている。
【００１９】
また、この外側蓋部１１の内面には、図１１（ａ）〜図１１（ｃ）に示すように、内側蓋部１２が配置される蓋装着凹部１１ｃが一側部（図１１（ａ）では下辺部）のみに開放されて設けられている。この蓋装着凹部１１ｃの左右方向（つまり下部ケース３の長手方向と直交する方向）における両側に位置する外側蓋部１１の内面における両側部には、図６〜図８、図１１に示すように、一対の係合フック部１３が一体に形成されている。
【００２０】
この一対の係合フック部１３は、図３に示すように、電池収納部８の開口部８ａの周縁部における装着凹部８ｂ内に設けられた係止溝部１４に係脱可能に係合するように構成されている。すなわち、この一対の係合フック部１３は、図７、図８および図１１に示すように、外側蓋部１１の湾曲部１１ｂの内面から垂下（図７では起立）され、その下端部（図７では上端部）が外側蓋部１１の中央部、つまり内側蓋部１２の外周面に向けて突出した形状に形成されている。
【００２１】
また、下部ケース３の係止溝部１４は、図３に示すように、電池収納部８の開口部８ａの周縁部に設けられた装着凹部８ｂ内における下部ケース３の両側部に位置する箇所にそれぞれ設けられた切り込み溝であり、この切込み溝内には、図３に示すように、係合フック部１３の下端部を係止する係止突起部１４ａが設けられた構成になっている。
【００２２】
さらに、この外側蓋部１１の前後方向（下部ケース３の長手方向）における一側部（図３では左側部）には、図２および図３に示すように、下部ケース３の下面（図３では上面）に設けられた固定部材１５によって電池蓋６を下部ケース３に対して固定するための固定溝部１６が設けられている。この固定溝部１６は、図５および図６に示すように、外側蓋部１１の一側部をほぼ半円形状に切り欠いて形成されており、この切り欠いて形成された固定溝部１６の内周面における上下部には、図９〜図１１に示すように、それぞれ挟持鍔部１６ａ、１６ｂが設けられている。
【００２３】
この場合、固定部材１５は、図２および図３に示すように、下部ケース３の下面（図３でが上面）にその面方向に回転可能に取り付けられた円板部１５ａと、この円板部１５ａの所定箇所に位置する外周面から突出して形成された係合鍔部（図示せず）と、円板部１５ａの上面に設けられた操作部１５ｂとを備えた構成になっている。
【００２４】
これにより、固定部材１５は、その円板部１５ａを回転させて係合鍔部を電池収納部８から離した状態で、電池蓋６を閉じると、円板部１５ａが外側蓋部１１の固定溝部１６内に相対的に挿入し、この状態で操作部１５ｂを操作して円板部１５ａを回転させると、円板部１５ａの係合鍔部（図示せず）が外側蓋部１１の固定溝部１６の上下の挟持鍔部１６ａ、１６ｂ間に挿入することにより、外側蓋部１１を下部ケース３に対して固定するように構成されている。
【００２５】
一方、内側蓋部１２は、外側蓋部１１と同様、合成樹脂からなり、図６〜図１０に示すように、外側蓋部１１の内面に設けられた蓋装着凹部１１ｃ内に接着剤や溶着などによって固定されるように構成されている。この内側蓋部１２は、図３および図６に示すように、その外形が電池収納部８の開口部８ａの内周面とほぼ同じか、それよりも少し小さい形状に形成されている。
【００２６】
すなわち、この内側蓋部１２は、図６および図１２に示すように、外側蓋部１１の蓋装着凹部１１ｃとほぼ同じ大きさに形成された板部１２ａと、この板部１２ａの周囲に垂下（図１２では起立）された枠状部１２ｂとを一体に形成し、板部１２ａと枠状部１２ｂとが電池収納部８の開口部８ａ内に挿入するように構成されている。この場合、枠状部１２ｂの外周部には、図１２（ａ）〜図１２（ｃ）に示すように、パッキン溝１８が内側蓋部１２の外周に沿って環状に連続して設けられている。
【００２７】
このパッキン溝１８は、図７〜図９、図１２に示すように、内側蓋部１２の外周面に形成された断面矩形状の凹部であり、内側蓋部１２の外周側に向けて開放された状態で、外側蓋部１１の一対の係合フック部１３に対面して接近するように構成されている。また、このパッキン溝１８は、図６、図８および図１０に示すように、その内部に防水パッキン２０が内側蓋部１２の外周に沿って環状に連続した状態で装着されるように構成されている。
【００２８】
この防水パッキン２０は、図１３に示すように、ゴムなどの弾性部材からなり、断面がほぼ円形状に形成されている。この場合、防水パッキン２０は、図８および図１０に示すように、内側蓋部１２のパッキン溝１８内に配置された際に、その一部がパッキン溝１８内から内側蓋部１２の外周側の外部に突出するように、パッキン溝１８の円周方向の深さよりも少し太く形成されている。
【００２９】
また、内側蓋部１２の前後方向（つまり下部ケース３の長手方向）における一側部（図６では下辺部）、つまり外側蓋部１１の固定溝部１６と反対側に位置する側部には、図３、図５および図６に示すように、電池収納部８を電池蓋６で塞ぐ際に、電池蓋６の回転支点となる一対の支持突起２１が側方（図６では手前側）に向けて突出して設けられている。
【００３０】
すなわち、この一対の支持突起２１は、図１０（ａ）および図１０（ｂ）に示すように、内側蓋部１２の枠状部１２ｂにおけるパッキン溝１８よりも下側（図１０では上側）に位置する外側面からその側方に突出して形成され、電池蓋６を電池収納部８に取り付ける際に、図４に示すように、電池収納部８の開口部８ａの内周面に設けられた係止穴部２２に挿脱可能に挿入して保持されるように構成されている。
【００３１】
これにより、電池蓋６は、図３および図４に示すように、電池収納部８を塞ぐ際に、内側蓋ｂ１２の外周部に設けられた一対の支持突起２１を電池収納部８の係止穴部２２に挿入させて保持させ、この状態で一対の支持突起２１を中心に内側蓋部１２を回転させると、内側蓋部１２が電池収納部８の開口部８ａ内に挿入すると共に、外側蓋部１１の湾曲部１１ｂを含む外周縁部が電池収納部８の開口部８ａの周囲に設けられた装着凹部８ｂ内に配置されるように構成されている。
【００３２】
次に、このような電池蓋６を製作する場合について説明する。
この場合には、外側蓋部１１と内側蓋部１２とを別々に製作する。まず、外側蓋部１１を製作する場合には、成形用の第１金型によって成形する。このとき、外側蓋部１１の係合フック部１３は、外側蓋部１１の湾曲部１１ｂから垂下（図１１（ｂ）では起立）され、その下端部（図１１（ｂ）では上端部）が外側蓋部１１の中央部、つまり内側蓋部１２の外周面に向けて突出した形状になっている。
【００３３】
また、この外側蓋部１１の一側部（図１１（ｃ）では右側部）に位置する固定溝部１６は、固定部材１５の係止鍔部（図示せず）が挿脱可能に挿入する上下の挟持鍔部１６ａ、１６ｂが形成された形状になっている。これにより、外側蓋部１１の係合フック部１３および固定溝部１６は、所謂アンダーカット形状またはオーバーハング形状になっている。
【００３４】
このため、成形用の第１金型の内部には、係合フック部１３および固定溝部１６を形成するために、スライド機構が設けられている。これにより、外側蓋部１１は、第１金型内に樹脂を射出させた後に離型する際に、スライド機構のスライドコアをスライドさせることにより、外側蓋部１１に一体に成形される。
【００３５】
一方、内側蓋部１２を成形する場合には、成形用の第２金型によって成形する。このときには、内側蓋部１２の枠状部１２ｂの外周面に沿って連続するパッキン溝１８が、枠状部１２ｂの外周面から外部側方に向けて開放された形状になっている。これにより、内側蓋部１２のパッキン溝１８も、アンダーカット形状またはオーバーハング形状になっている。このため、内側蓋部１２を成形する成形用の第２金型内にも、パッキン溝１８を形成するために、スライド機構が設けられている。これにより、内側蓋部１２は、外側蓋部１１と同様に、第２金型によって成形される。
【００３６】
次に、外側蓋部１１の内面に内側蓋部１２を接着剤や溶着によって固定する。このときには、図６に示すように、外側蓋部１１の内面に設けられた蓋装着凹部１１ｃ内に内側蓋部１２の板部１２ａを配置して、内側蓋部１２の一側部（図６では上辺部）を外側蓋部１１の固定溝部１６に接近させると共に、内側蓋部１２の一対の支持突起２１を外側蓋部１１の他側部（図６では下辺部）から突出させる。
【００３７】
この状態で、外側蓋部１１の内面に内側蓋部１２を固定すると、図６〜図８に示すように、外側蓋部１１の一対の係合フック部１３と内側蓋部１２の枠状部１２ｂのパッキン溝１８とが、互いに対面した状態で接近する。この場合、外側蓋部１１と内側蓋部１２とを１つの成形用金型で一体に成形しようとすると、外側蓋部１１の一対の係合フック部１３と内側蓋部１２の枠状部１２ｂのパッキン溝１８との間隔Ｓが狭いため、成形用金型内にスライド機構を設けることができない。
【００３８】
しかし、この実施形態のように、外側蓋部１１と内側蓋部１２とを別々に成形することにより、外側蓋部１１の一対の係合フック部１３と内側蓋部１２の枠状部１２ｂのパッキン溝１８との間隔Ｓが狭くても、外側蓋部１１に内側蓋部１２を固定するときに、その両者の間隔Ｓを調整することにより、狭い間隔Ｓに設定することができる。
【００３９】
次に、このような電池蓋６を下部ケース３に取り付けて電池収納部８の開口部８ａを塞ぐ場合について説明する。
このときには、まず、内側蓋部１２の枠状部１２ｂのパッキン溝１８内に防水パッキン２０を装着する。そして、図３および図４に示すように、電池蓋６の内側蓋部１２を下部ケース３の電池収納部８の開口部８ａに対応させて、内側蓋部１２の一対の支持突起２１を電池収納部８の係止穴部２２（図４参照）に挿入する。
【００４０】
この状態で、一対の支持突起２１を中心に電池蓋６を回転させて、内側蓋部１２を電池収納部８の開口部８ａ内に挿入すると共に、外側蓋部１１の湾曲部１１ｂを含む周縁部を電池収納部８の開口部８ａの周囲に設けられた装着凹部８ｂ内に配置する。このときには、内側蓋部１２の外周面のパッキン溝１８内に装着されて外部に突出した防水パッキン２０の一部が、電池収納部８の開口部８ａの内周面に弾接して密接する。これにより、内側蓋部１２は、電池収納部８の開口部８ａ内に防水パッキン２０の弾接によってガイドされながら挿入するので、電池蓋６全体をガイドする。
【００４１】
また、外側蓋部１１の周縁部の湾曲部１１ｂを含む周縁部が、電池収納部８の開口部８ａの周囲に設けられた装着凹部８ｂ内に配置すると、外側蓋部１１の内面に設けられた一対の係合フック部１３が、図３に示すように、電池収納部８の開口部８ａの周縁部に設けられた装着凹部８ｂにおける下部ケース３の両側部に位置する箇所に設けられた一対の係止溝部１４に係止される。これにより、電池蓋６が電池収納部８の開口部８ａを塞いて電池収納部８を密閉した状態で、下部ケース３に取り付けられる。
【００４２】
すると、図２および図３に示すように、下部ケース３に設けられた固定部材１５の円板部１５ａが外側蓋部１１の一側部に設けられた半円形状の固定溝部１６に相対的に挿入する。この状態で、円板部１５ａの上面に設けられた操作部１５ｂを指で回して円板部１５ａを所定角度回転させると、円板部１５ａの係合鍔部（図示せず）が外側蓋部１１の固定溝部１６の上下の挟持鍔部１６ａ、１６ｂ間に挿入する。これによっても、外側蓋部１１が下部ケース３に固定される。
【００４３】
この結果、電池蓋６は、下部ケース３の一対の係止溝部１４に対する一対の係合フック部１３の係合、電池収納部８の開口部８ａの係止穴部２２に対する一対の支持突起２１の挿入保持、および固定部材１５による固定溝部１６の固定によって、下部ケース３に対し確実に且つ強固に取り付けられる。なお、電池蓋６を取り外す場合には、上述した操作と逆の操作を行うことにより、容易に取り外すことができる。
【００４４】
このように、この電池蓋６によれば、下部ケース３の外形の一部を形成する外側蓋部１１と、この外側蓋部１１の内側に取り付けられて電池収納部８の開口部８ａに挿脱可能に挿入する内側蓋部１２とを備え、外側蓋部１１の内面には、電池収納部８の両側に位置する下部ケース３の外側部にそれぞれ設けられた一対の係止溝部１４に係脱可能に係合する一対の係合フック部１３が形成されており、内側蓋部１２の外周部には、外側蓋部１１の一対の係合フック部１３に対面した状態で接近するパッキン溝１８が、全周に沿って連続して形成されている構成であるから、構造が簡単で、容易に製作できると共に、防水性を確保することができる。
【００４５】
すなわち、この電池蓋６では、下部ケース３の電池収納部８を塞ぐ際に、外側蓋部１１の内面に固定された内側蓋部１２のパッキン溝１８に防水パッキン２０を装着し、この内側蓋部１１を下部ケース３の電池収納部８の開口部８ａに挿入させて、外側蓋部１１を下部ケース３に押し付けると、電池収納部８の開口部８ａの内周面に防水パッキン２０を密接させて外側蓋部１１の一対の係合フック部１３を下部ケース３の両側の外側部に設けられた一対の係止溝部１４に係合させることができる。
【００４６】
この場合、電池蓋６は、外側蓋部１１の係合フック部１３と内側蓋部１２の枠状部１２ｂに設けられたパッキン溝１８とが対面した状態で接近した構成であるから、下部ケース３の係止溝部１４に外側蓋部１１の係合フック部１３が係合した際に、下部ケース３の係止溝部１４に対する係合フック部１３の係合力によって、パッキン溝１８に装着された防水パッキン２０を電池収納部８の内周面に確実に且つ強固に押し付けることができ、これにより防水性を高めることができる。
【００４７】
このため、１つの防水パッキン２０を内側蓋部１２のパッキン溝１８に装着するだけの簡単な構造で、防水性を確保することができると共に、下部ケース３の係止溝部１４に外側蓋部１１の係合フック部１３を係合させるだけで、簡単に且つ確実に電池蓋６を下部ケース３に取り付けることができる。これにより、防水パッキン２０を電池収納部８の内周面に確実に且つ良好に押し付けることができるので、防水性を確実に維持することができる。
【００４８】
また、外側蓋部１と内側蓋部１２とを別々に成形することができるので、外側蓋部１１の係合フック部１３と内側蓋部１２の枠状部１２ｂに設けられたパッキン溝１８とが対面した状態で接近する構成であっても、簡単に且つ容易に製作することができると共に、外側蓋部１１と内側蓋部１２とを自由な形状に形成することができ、これにより外観性およびデザイン性に優れたものを得ることができるほか、機器ケース１を握り易くすることができ、使い勝手が良く、且つ小型化および薄型化をも図ることができる。
【００４９】
この場合、外側蓋部１１の係合フック部１３は、内側蓋部１２の外周側に位置して、内側蓋部１２のパッキン溝１８に向けて突出しており、内側蓋部１２のパッキン溝１８は、内側蓋部１２の外周面から外部側方に向けて開放された状態で、係合フック部１３に対面して接近していることにより、電池蓋６によって電池収納部８を塞いだ際に、パッキン溝１８に装着された防水パッキン２０を電池収納部８の開口部８ａの内周面に確実に且つ良好に押し付けることができる。
【００５０】
すなわち、外側蓋部１１の係合フック部１３と内側蓋部１２のパッキン溝１８とが互いに対面した状態で接近していることにより、下部ケース３の係止溝部１４に外側蓋部１１の係合フック部１３が係合した際に、下部ケース３の係止溝部１４に対する係合フック部１３の係合力によって、パッキン溝１８に装着された防水パッキン２０を電池収納部８の内周面に確実に且つ強固に押し付けることができ、これにより、より一層、防水性を高めることができる。
【００５１】
このような電池蓋６を製作する際には、外側蓋部１１を成形する第１金型内に係合フック部１３を形成するためのスライド機構を設けて外側蓋部１１を成形し、内側蓋部１２を成形する第２金型内に枠状部１２ｂのパッキン溝１８を形成するためのスライド機構を設けて内側蓋部１２を成形し、この成形された外側蓋部１１に内側蓋部１２を固定することにより、外側蓋部１１の係合フック部１３と内側蓋部１２の枠状部１２ｂに設けられたパッキン溝１８とが対面した状態で接近する構成であっても、簡単に且つ容易に製作することができる。
【００５２】
また、この電池蓋６では、内側蓋部１２のパッキン溝１８に、下部ケース３の電池収納部８における開口部８ａの内周面に弾接する防水パッキン２０が、連続して装着されているので、内側蓋部１２を電池収納部８の開口部８ａ内に挿入させた際に、パッキン溝１８内から突出した防水パッキン２０の一部を電池収納部８の開口部８ａの内周面に確実に且つ良好に弾接させることができ、これにより電池収納部８の開口部８ａを確実に密閉することができるので、防水性を確保することができる。
【００５３】
また、この電池蓋６によれば、外側蓋部１１の外周部における一対の係合フック部１３が設けられた両側部に対して直交する内側蓋部１２の一側部に、電池収納部８の開口部８ａにおける内周面に設けられた係止穴部２２に挿脱可能に挿入して内側蓋部１２の回転支点となる一対の支持突起２１が形成されているので、この一対の支持突起２１を支点として電池蓋６を回転させることにより、電池蓋６を下部ケース３に対して容易に且つ良好に取り付けることができる。
【００５４】
すなわち、この電池蓋６では、内側蓋部１２の一対の支持突起２１を電池収納部８の開口部８ａにおける内周面に設けられた係止穴部２２に挿入させ、この状態で一対の支持突起２を中心に電池蓋６を回転させて内側蓋部１２を電池収納部８の開口部８ａ内に挿入させると、内側蓋部１２のパッキン溝１８に装着された防水パッキン２０が電池収納部８の開口部８ａの内周面に密接しながら挿入するので、この防水パッキン２０によってガイドされながら、内側蓋部１２を電池収納部８の開口部８ａ内に円滑に且つ良好に挿入させることができる。
【００５５】
また、このときには、外側蓋部１１の一対の係合フック部１３が電池収納部８の周縁部の装着凹部８ｂに設けられた係止溝部１４に係合するので、電池蓋６が電池収納部８の開口部８ａを塞いだ状態で、電池蓋６を下部ケース３に確実に取り付けることができると共に、外側蓋部１１の湾曲部１１ｂを含む周縁部を、電池収納部８の周縁部の装着凹部８ｂ内に良好に配置させることができ、これにより電池蓋６を下部ケース３に容易に且つ確実に取り付けて、電池収納部８を良好に塞ぐことができる。
【００５６】
また、この電池蓋６では、内側蓋部１２の支持突起２１が設けられた一側部と反対側に位置する外側蓋部１１の他側部に、下部ケース３に設けられた固定部材１５によって下部ケース３に固定される固定溝部１６が、外側蓋部１１の外周面から外部側方に向けて開放された状態で形成されているので、固定溝部１６が固定部材１５によって固定されることにより、より一層、電池蓋６を下部ケース３に対して強固に固定することができる。
【００５７】
この場合、固定溝部１６は、半円形状に形成された切欠き溝であり、その内周面の上下に挟持鍔部１６ａ、１６ｂが設けられており、固定部材１５は、下部ケース３に回転可能に取り付けられた円板部１５ａと、この円板部１５ａの外周面に設けられた係合鍔部（図示せず）と、円板部１５ａの上面に設けられた操作部１５ｂとを備えているので、操作部１５ｂを操作して円板部１５ａを回転させ、係合鍔部を固定溝部１６の上下の挟持鍔部１６ａ、１６ｂ間に挿入させるだけで、電池蓋６を下部ケース３に対して簡単に固定することができる。
【００５８】
これにより、電池蓋６は、落下などの衝撃を受けた際に、仮に外側蓋部１１の一対の係合フック部１３が電池収納部８の周縁部の装着凹部８ｂに設けられた係止溝部１４から外れても、電池収納部８の開口部８ａの係止穴部２２に挿入した内側蓋部１２の一対の支持突起２１と、固定部材１５によって固定された外側蓋部１１の固定溝部１６とによって、電池蓋６が下部ケース３から脱落することがなく、電池蓋６を下部ケース３に確実に固定することができる。
【００５９】
なお、上述した実施形態では、蓋部材として、機器ケース１の電池収納部８を塞ぐ電池蓋６について述べたが、必ずしも電池蓋６である必要なく、例えば、点検用の開口部を塞ぐ点検蓋７にも適用することができるほか、外部接続端子の端子収納部やメモリーカードのカード収納部などの各種の収納部を塞ぐ蓋部材にも広く適用することができる。
【００６０】
また、上述した実施形態では、携帯情報端末に適用した場合について述べたが、必ずしも携帯情報端末機である必要はなく、例えば、携帯電話機や電子カメラ、電子辞書、携帯型の音楽プレーヤなどの各種の携帯機器に広く適用することができる。
【００６１】
以上、この発明の一実施形態について説明したが、この発明は、これに限られるものではなく、特許請求の範囲に記載された発明とその均等の範囲を含むものである。
以下に、本願出願の特許請求の範囲に記載された発明を付記する。
【００６２】
（付記）
請求項１に記載の発明は、機器ケースに設けられた収納部の開口部を塞ぐための蓋部材において、前記機器ケースの外形の一部を形成する外側蓋部と、この外側蓋部の内側に固定されて前記収納部の前記開口部に挿脱可能に挿入する内側蓋部とを備え、前記外側蓋部の内面には、前記収納部の両側に位置する前記機器ケースの外側部にそれぞれ設けられた係止溝部に係脱可能に係合する係合フック部が形成されており、前記内側蓋部の外周部には、前記外側蓋部の前記係合フック部に対面した状態で接近するパッキン溝が、全周に沿って連続して形成されていることを特徴とする蓋部材である。
【００６３】
請求項２に記載の発明は、請求項１に記載の蓋部材において、前記外側蓋部の前記係合フック部は、前記内側蓋部の外周側に位置して、前記内側蓋部の前記パッキン溝に向けて突出しており、前記内側蓋部の前記パッキン溝は、前記内側蓋部の外周面から外部側方に向けて開放された状態で、前記係合フック部に対面して接近していることを特徴とする蓋部材である。
【００６４】
請求項３に記載の発明は、請求項１または請求項２に記載の蓋部材において、前記内側蓋部の前記パッキン溝には、前記収納部の前記開口部における内周面に弾接する防水パッキンが、環状に連続して装着されていることを特徴とする蓋部材である。
【００６５】
請求項４に記載の発明は、請求項１〜請求項３のいずれかに記載の蓋部材において、前記内側蓋部の一側部には、前記収納部の前記開口部における内周面に設けられた係止穴部に挿脱可能に挿入して前記内側蓋部の回転支点となる支持突起が形成されていることを特徴とする蓋部材である。
【００６６】
請求項５に記載の発明は、請求項１〜請求項４のいずれかに記載の蓋部材において、前記内側蓋部の前記支持突起が設けられた前記一側部と反対側に位置する前記外側蓋部の他側部には、前記機器ケースに設けられた固定部材によって前記機器ケースに対して固定される固定溝部が形成されていることを特徴とする蓋部材である。
【符号の説明】
【００６７】
１  機器ケース
２  上部ケース
３  下部ケース
６  電池蓋
８  電池収納部
８ａ  開口部
１１  外側蓋部
１２  内側蓋部
１３  係合フック部
１４  係止溝部
１５  固定部材
１６  固定溝部
１８  パッキン溝
２０  防水パッキン
２１  支持突起
２２  係止穴部
【図１】
0005472125.tif 000002
【図２】
0005472125.tif 000003
【図３】
0005472125.tif 000004
【図４】
0005472125.tif 000005
【図５】
0005472125.tif 000006
【図６】
0005472125.tif 000007
【図７】
0005472125.tif 000008
【図８】
0005472125.tif 000009
【図９】
0005472125.tif 000010
【図１０】
0005472125.tif 000011
【図１１】
0005472125.tif 000012
【図１２】
0005472125.tif 000013
【図１３】
0005472125.tif 000014